(57)【要約】【課題】二次電池の劣化の進行を抑制し、運用開始前の二次電池の容量によらずに当該二次電池の運用開始までに二次電池を適切な温度にする。【解決手段】充放電制御部１４４は、指示受付部１４１が二次電池１２０の運転開始の指示を受け付けたときに、温度取得部１４２が取得した二次電池１２０の温度が第１の温度閾値未満である場合に、準備用充電レートでの充電と準備用放電レートでの放電を二次電池１２０に繰り返し行わせる。この準備用充電レートまたは準備用放電レートの少なくとも一方は、予め定められた通常運転用充電レートまたは通常運転用放電レートより低い。【選択図】図１
2015035382.tif 000002
【特許請求の範囲】
【請求項１】
二次電池の運転開始の指示を受け付ける指示受付部と、
前記二次電池の温度を取得する温度取得部と、
前記二次電池の充放電を制御する充放電制御部とを備え、
前記充放電制御部は、前記指示受付部が運転開始の指示を受け付けたときに前記温度取得部が取得した温度が予め定められた第１の温度閾値未満である場合に、前記二次電池に、予め定められた準備用充電レートでの所定の第１電気量の充電と予め定められた準備用放電レートでの所定の第２電気量の放電を行わせる暖機運転を繰り返し実行し、
前記準備用充電レートまたは前記準備用放電レートの少なくとも一方は、予め定められた通常運転用充電レートまたは予め定められた通常運転用放電レートより低い
ことを特徴とする二次電池制御装置。
【請求項２】
前記充放電制御部は、前記指示受付部が運転開始の指示を受け付けたときに前記温度取得部が取得した温度が前記第１の温度閾値未満である場合に、前記準備用放電レートでの前記第２電気量の放電を前記二次電池に行わせた後に、前記準備用充電レートでの前記第１電気量の充電を前記二次電池に行わせる
ことを特徴とする請求項１に記載の二次電池制御装置。
【請求項３】
前記充放電制御部は、前記指示受付部が運転開始の指示を受け付けたときに前記温度取得部が取得した温度が第１の温度閾値より低い予め定められた第２の温度閾値未満である場合に、前記二次電池に充電及び放電を行わせない
ことを特徴とする請求項１または請求項２に記載の二次電池制御装置。
【請求項４】
前記充放電制御部は、前記準備用充電レートでの前記二次電池の充電及び前記準備用放電レートでの放電を、前記温度取得部が取得する温度が前記第１の温度閾値より高い予め定められた第３の温度閾値以上になるまで前記二次電池に行わせる
ことを特徴とする請求項１から請求項３の何れか１項に記載の二次電池制御装置。
【請求項５】
閉空間や建屋内に設けられた前記二次電池の雰囲気温度を制御する空調設備に障害があるか否かを判定する空調判定部を備え、
前記充放電制御部は、前記空調判定部が前記空調設備に障害があると判定した場合、前記準備用充電レートでの充電及び前記準備用放電レートでの放電を、前記温度取得部が取得する温度が前記第３の温度閾値より高い予め定められた第４の温度閾値に以上になるまで前記二次電池に行わせた後、前記指示受付部が通常運転の充放電指令を受け付けるまで運転待機させ、前記運転待機中に前記温度取得部が取得する温度が第３の温度閾値未満となった場合に、前記準備用充電レートでの充電及び前記準備用放電レートでの放電を前記二次電池に行わせる
ことを特徴とする請求項４に記載の二次電池制御装置。
【請求項６】
前記充放電制御部は、前記二次電池の充電率が所定の目標値より低い場合、前記第１電気量を前記第２電気量より多くすることで、前記充電率が増加するように前記二次電池に充放電を行わせ、前記二次電池の充電率が所定の目標値より高い場合、前記第２電気量を前記第１電気量より多くすることで、前記充電率が少なくなるように前記二次電池に充放電を行わせる
ことを特徴とする請求項１から請求項５の何れか１項に記載の二次電池制御装置。
【請求項７】
前記温度取得部が取得する温度に基づいて、前記準備用充電レート及び前記準備用放電レートを決定するレート決定部を備え、
前記充放電制御部は、前記指示受付部が運転開始の指示を受け付けたときに前記温度取得部が取得した温度が第１の温度閾値未満である場合に、前記二次電池の暖機運転に対して、前記レート決定部が決定した前記準備用充電レートでの充電と前記レート決定部が決定した前記準備用放電レートでの放電を繰り返し行わせる
ことを特徴とする請求項１から請求項６の何れか１項に記載の二次電池制御装置。
【請求項８】
二次電池と請求項１から請求項７の何れか１項に記載の二次電池制御装置とを備えることを特徴とする二次電池システム。
【請求項９】
二次電池システムの運転開始の指示を受け付けるステップと、
前記運転開始の指示を受け付けたときに前記二次電池の温度を取得するステップと、
前記取得した温度が予め定められた第１の温度閾値未満である場合に、前記二次電池に、予め定められた準備用充電レートでの所定の第１電気量の充電と予め定められた準備用放電レートでの所定の第２電気量の放電を行わせる暖機運転を繰り返し実行するステップと
を有し、
前記準備用充電レートまたは前記準備用放電レートの少なくとも一方は、予め定められた通常運転用充電レートまたは予め定められた通常運転用放電レートより低い
ことを特徴とする二次電池制御方法。
【請求項１０】
二次電池の運転開始の指示を受け付ける指示受付部、
前記二次電池の温度を取得する温度取得部、
前記二次電池の充放電を制御する充放電制御部としてコンピュータを動作させ、
前記充放電制御部は、前記指示受付部が運転開始の指示を受け付けたときに前記温度取得部が取得した温度が予め定められた第１の温度閾値未満である場合に、前記二次電池に、予め定められた準備用充電レートでの所定の第１電気量の充電と予め定められた準備用放電レートでの所定の第２電気量の放電を行わせる暖機運転を繰り返し実行し、
前記準備用充電レートまたは前記準備用放電レートの少なくとも一方は、予め定められた通常運転用充電レートまたは予め定められた通常運転用放電レートより低い
ことを特徴とするプログラム。
【発明の詳細な説明】
【技術分野】
【０００１】
本発明は、二次電池制御装置、二次電池システム、二次電池制御方法及びプログラムに関する。
【背景技術】
【０００２】
リチウムイオン二次電池などの二次電池を寒冷地等の外気温度が低い状態で運用する場合、二次電池を運用温度まで温めてから運用を開始する。これは、二次電池の温度が運用温度より低い場合に、当該二次電池の性能を十分に発揮することができないためである。
【０００３】
特許文献１には、ヒータを用いることなく冷環境においても二次電池の充電量を十分に確保するため、通常充電時において設定される電流値より大きい電流値で電池温度を上昇させる技術が開示されている。
【先行技術文献】
【特許文献】
【０００４】
【特許文献１】特開２０１２−２３８３６号公報
【発明の概要】
【発明が解決しようとする課題】
【０００５】
一般的に、二次電池の周囲温度が摂氏０度を下回る状態で通常運転時と同等の電流の充放電を行うと、二次電池の劣化が顕著に進んでしまうことが考えられている。よって、特許文献１に記載の技術に基づいて、電池温度を上昇させると、二次電池の劣化が進んでしまう可能性がある。長寿命化が要求される電池の場合、このような劣化が進む運転条件はより制限される必要がある。
本発明の目的は、二次電池の劣化の進行を抑制しつつ、当該二次電池の運用開始時に二次電池の温度を適切な温度にする二次電池制御装置、二次電池システム、二次電池制御方法及びプログラムを提供することにある。
【課題を解決するための手段】
【０００６】
第１の態様は、二次電池の運転開始の指示を受け付ける指示受付部と、前記二次電池の温度を取得する温度取得部と、前記二次電池の充放電を制御する充放電制御部とを備え、前記充放電制御部は、前記指示受付部が運転開始の指示を受け付けたときに前記温度取得部が取得した温度が予め定められた第１の温度閾値未満である場合に、前記二次電池に、予め定められた準備用充電レートでの所定の第１電気量の充電と予め定められた準備用放電レートでの所定の第２電気量の放電を行わせる暖機運転を繰り返し実行し、前記準備用充電レートまたは前記準備用放電レートの少なくとも一方は、予め定められた通常運転用充電レートまたは予め定められた通常運転用放電レートより低いことを特徴とする二次電池制御装置である。
【０００７】
また、第２の態様は、第１の態様において、前記充放電制御部は、前記指示受付部が運転開始の指示を受け付けたときに前記温度取得部が取得した温度が前記第１の温度閾値未満である場合に、前記準備用放電レートでの放電を前記二次電池に行わせた後に、前記準備用充電レートでの充電を前記二次電池に行わせることを特徴とする二次電池制御装置である。
【０００８】
また、第３の態様は、第１または第２の態様において、前記充放電制御部は、前記指示受付部が運転開始の指示を受け付けたときに前記温度取得部が取得した温度が第１の温度閾値より低い予め定められた第２の温度閾値未満である場合に、前記二次電池に充電及び放電を行わせないことを特徴とする二次電池制御装置である。
【０００９】
また、第４の態様は、第１から第３の何れかの態様において、前記充放電制御部は、前記準備用充電レートでの前記二次電池の充電及び前記準備用放電レートでの放電を、前記温度取得部が取得する温度が前記第１の温度閾値より高い予め定められた第３の温度閾値以上になるまで前記二次電池に行わせることを特徴とする二次電池制御装置である。
【００１０】
また、第５の態様は、第４の態様において、閉空間や建屋内に設けられた前記二次電池の雰囲気温度を制御する空調設備に障害があるか否かを判定する空調判定部を備え、前記充放電制御部は、前記空調判定部が前記空調設備に障害があると判定した場合、前記準備用充電レートでの充電及び前記準備用放電レートでの放電を、前記温度取得部が取得する温度が前記第３の温度閾値より高い予め定められた第４の温度閾値に以上になるまで前記二次電池に行わせた後、前記指示受付部が通常運転の充放電指令を受け付けるまで運転待機させ、前記運転待機中に前記温度取得部が取得する温度が第３の温度閾値未満となった場合に、前記準備用充電レートでの充電及び前記準備用放電レートでの放電を前記二次電池に行わせることを特徴とする二次電池制御装置である。
【００１１】
また、第６の態様は、第１から第５の何れかの態様において、前記充放電制御部は、前記二次電池の充電率が所定の目標値より低い場合、前記第１電気量を前記第２電気量より多くすることで、前記充電率が増加するように前記二次電池に充放電を行わせ、前記二次電池の充電率が所定の目標値より高い場合、前記第２電気量を前記第１電気量より多くすることで、前記充電率が少なくなるように前記二次電池に充放電を行わせることを特徴とする二次電池制御装置である。
【００１２】
また、第７の態様は、第１から第６の何れかの態様において、前記温度取得部が取得する温度に基づいて、前記準備用充電レート及び前記準備用放電レートを決定するレート決定部を備え、前記充放電制御部は、前記指示受付部が運転開始の指示を受け付けたときに前記温度取得部が取得した温度が第１の温度閾値未満である場合に、前記二次電池の暖機運転に対して、前記レート決定部が決定した前記準備用充電レートでの充電と前記レート決定部が決定した前記準備用放電レートでの放電を繰り返し行わせることを特徴とする二次電池制御装置である。
【００１３】
また、第８の態様は、二次電池と第１から第７の何れかの態様に記載の二次電池制御装置とを備えることを特徴とする二次電池システムである。
【００１４】
また、第９の態様は、二次電池システムの運転開始の指示を受け付けるステップと、前記運転開始の指示を受け付けたときに前記二次電池の温度を取得するステップと、前記取得した温度が予め定められた第１の温度閾値未満である場合に、前記二次電池に、予め定められた準備用充電レートでの所定の第１電気量の充電と予め定められた準備用放電レートでの所定の第２電気量の放電を行わせる暖機運転を繰り返し実行するステップとを有し、前記準備用充電レートまたは前記準備用放電レートの少なくとも一方は、予め定められた通常運転用充電レートまたは予め定められた通常運転用放電レートより低いことを特徴とする二次電池制御方法である。
【００１５】
また、第１０の態様は、二次電池の運転開始の指示を受け付ける指示受付部、前記二次電池の温度を取得する温度取得部、前記二次電池の充放電を制御する充放電制御部としてコンピュータを動作させ、前記充放電制御部は、前記指示受付部が運転開始の指示を受け付けたときに前記温度取得部が取得した温度が予め定められた第１の温度閾値未満である場合に、前記二次電池に、予め定められた準備用充電レートでの所定の第１電気量の充電と予め定められた準備用放電レートでの所定の第２電気量の放電を行わせる暖機運転を繰り返し実行し、前記準備用充電レートまたは前記準備用放電レートの少なくとも一方は、予め定められた通常運転用充電レートまたは予め定められた通常運転用放電レートより低いことを特徴とするプログラムである。
【発明の効果】
【００１６】
上記態様のうち少なくとも１つの態様によれば、二次電池の劣化の進行を抑制しつつ、当該二次電池の運用開始時に二次電池の温度を適切な温度にすることができるという効果を奏することができる。
【図面の簡単な説明】
【００１７】
【図１】少なくとも１つの実施形態に係る二次電池システムの構成を示す概略ブロック図である。
【図２】少なくとも１つの実施形態に係る二次電池システムの起動動作を示すフローチャートである。
【図３】少なくとも１つの実施形態に係る二次電池システムの暖機運転の動作を示すフローチャートである。
【図４】少なくとも１つの実施形態に係る二次電池システムの構成を示す概略ブロック図である。
【図５】少なくとも１つの実施形態に係る二次電池システムの暖機運転の動作を示すフローチャートである。
【図６】二次電池の充電率の推移の一例を示すグラフである。
【図７】少なくとも１つの実施形態に係る二次電池システムの構成を示す概略ブロック図である。
【図８】少なくとも１つの実施形態に係る二次電池システムの暖機運転の動作を示すフローチャートである。
【図９】二次電池の温度の変化の推移の一例を示す図である。
【図１０】少なくとも１つの実施形態に係る二次電池システムの構成を示す概略ブロック図である。
【図１１】少なくとも１つの実施形態に係る二次電池システムの起動動作を示すフローチャートである。
【図１２】少なくとも１つの実施形態に係るコンピュータの構成を示す概略ブロック図である。
【発明を実施するための形態】
【００１８】
以下、図面を参照しながら実施形態について詳しく説明する。
《第１の実施形態》
図１は、少なくとも１つの実施形態に係る二次電池システム１００の構成を示す概略ブロック図である。なお、図１において、実線は電力線を示し、破線はデータ線を示す。
第１の実施形態に係る二次電池システム１００は、太陽光発電装置などによる自然エネルギー発電の平滑化を行うものである。具体的には、二次電池システム１００は、二次電池１２０を充放電させることにより、自然エネルギー発電により発電された電力の変動を緩和させるものである。
【００１９】
二次電池システム１００は、空調設備１１０と、二次電池１２０と、コンバータ１３０と、二次電池制御装置１４０と、温度センサ１５０とを備える。
空調設備１１０は、閉空間や建屋内に設けられた二次電池１２０の雰囲気温度を制御する。また、空調設備１１０は、電力系統１９０などの交流電圧源から電力の供給を受ける。
二次電池１２０は、コンバータ１３０を介して電力系統１９０や図示しない発電装置から供給される電力の充電を行う。また、二次電池１２０は、コンバータ１３０を介して電力系統１９０や図示しない負荷装置へ供給される電力の放電を行う。二次電池１２０は、例えば複数のセル電池を備える電池モジュールであっても良い。
コンバータ１３０は、交流の電流を直流に変換して二次電池１２０に供給する。また、コンバータ１３０は、二次電池１２０が放電した直流の電流を交流に変換する。
二次電池制御装置１４０は、二次電池１２０の状態に応じてコンバータ１３０を制御することで、二次電池１２０の充放電を管理する。二次電池制御装置１４０は、例えば電池モジュールを制御するＢＭＵ（Ｂａｔｔｅｒｙ  Ｍａｎａｇｅｍｅｎｔ  Ｕｎｉｔ）であっても良い。また、二次電池制御装置１４０は、例えばＢＭＵの上位装置であっても良い。
温度センサ１５０は、二次電池１２０の温度を測定し、二次電池制御装置１４０に出力する。本実施形態に係る二次電池１２０は、リチウム二次電池の他に、鉛二次電池、ニッケル水素二次電池など特に限定されないが、充放電指令に対する追従性がよく、二次電池の温度が低い場合の充放電に伴う二次電池の劣化の管理の重要性から、リチウム二次電池であることが好ましい。
【００２０】
二次電池制御装置１４０は、指示受付部１４１と、温度取得部１４２と、充電率推定部１４３と、充放電制御部１４４とを備える。
指示受付部１４１は、二次電池システム１００の管理者による二次電池１２０の運転開始の指示の入力を受け付ける。なお、二次電池１２０の運転開始の指示は、メンテナンスなどにより電力系統１９０から解列されていた二次電池システム１００が、電力系統１９０に併入されたときに入力される。二次電池１２０の運転開始の指示の入力の例としては、例えば、利用者が、電池システム１００を電力系統１９０に併入したときに、二次電池システム１００に設けられるボタン等を押下することで入力することができる。また、例えば、指示受付部１４１は、利用者が二次電池システム１００を電力系統１９０に併入したときに生じる電圧の変化を検出することで、運転開始の指示の入力を受け付けることができる。
【００２１】
温度取得部１４２は、温度センサ１５０から二次電池１２０の温度を取得する。温度センサ１５０は二次電池１２０内のセル部分の温度を取得できる位置に設置されていることが好ましい。
充電率推定部１４３は、二次電池１２０の充電率を推定する。
充放電制御部１４４は、温度取得部１４２が取得した温度及び充電率推定部１４３が推定した充電率と、予め定められた第１〜第３の温度閾値とに基づいて二次電池１２０の充放電を制御する。
【００２２】
具体的には、充放電制御部１４４は、二次電池１２０の温度が第１の温度閾値未満である場合に、予め定められた準備用充電レート及び予め定められた準備用放電レートで二次電池１２０を充放電させることで、二次電池１２０を発熱させる暖機運転を実行する。第１の温度閾値とは、二次電池１２０の充放電に適切でない温度である。本実施形態では、第１の温度閾値として摂氏０度を採用する。
【００２３】
また、準備用充電レート及び準備用放電レートは、第１の温度閾値未満の温度の二次電池１２０を充放電する場合に、劣化が生じないような充電レート及び放電レートである。本実施形態では、準備用充電レートとして「０．５Ｃ」を採用し、準備用放電レートとして「１Ｃ」を採用する。なお、「１Ｃ」とは、二次電池１２０を定電流で充電または放電した場合に１時間で充電または放電が終了するような電流値を示す。なお、通常運転時の充電レート及び放電レートとして予め定められた通常運転用充電レート及び通常運転用放電レートはいずれも２Ｃである。
【００２４】
また、充放電制御部１４４は、二次電池の温度が第２の温度閾値未満である場合には、暖機運転を実行しない。第２の温度閾値とは、二次電池１２０を充放電させることで障害が発生するおそれがある温度である。本実施形態では、第２の温度閾値として摂氏−２０度を採用する。
【００２５】
また、充放電制御部１４４は、暖機運転を実行することで、二次電池の温度が第３の温度閾値以上になった場合に、暖機運転を終了する。第３の温度閾値とは、二次電池１２０の充放電に適した温度の最小値である。本実施形態では、第３の温度閾値として摂氏１５度を採用する。
【００２６】
図２は、少なくとも１つの実施形態に係る二次電池システム１００の起動動作を示すフローチャートである。
メンテナンスなどにより電力系統１９０から解列されていた二次電池システム１００が電力系統１９０に併入され、管理者が二次電池制御装置１４０に運転開始の指示を入力すると、二次電池制御装置１４０の指示受付部１４１は、当該指示の入力を受け付ける（ステップＳ２０１）。また、このとき管理者は、二次電池１２０の温度が充放電に適切な温度になるよう、空調設備１１０に二次電池１２０の雰囲気温度の制御を開始させる。
【００２７】
指示受付部１４１が運転開始の指示の入力を受け付けると、温度取得部１４２は、温度センサ１５０から二次電池１２０の温度を取得する（ステップＳ２０２）。次に、充放電制御部１４４は、温度取得部１４２が取得した二次電池１２０の温度が第１の温度閾値（例えば、摂氏０度）未満であるか否かを判定する（ステップＳ２０３）。
【００２８】
充放電制御部１４４は、二次電池１２０の温度が第１の温度閾値以上であると判定した場合（ステップＳ２０３：ＮＯ）、起動動作を終了する。これは、二次電池の温度が第１の温度閾値以上であれば、二次電池１２０の充放電を行っても支障がないためである。他方、充放電制御部１４４は、二次電池１２０の温度が第１の温度閾値未満であると判定した場合（ステップＳ２０３：ＹＥＳ）、当該温度が第２の温度閾値（例えば、摂氏−２０度）未満であるか否かを判定する（ステップＳ２０４）。充放電制御部１４４は、二次電池１２０の温度が第２の温度閾値未満であると判定した場合（ステップＳ２０４：ＹＥＳ）、ステップＳ２０３に戻り、空調設備１１０の稼働により二次電池１２０の温度が第２の温度閾値以上になるまで待機する。これにより、二次電池１２０に無理な充放電をさせることで二次電池１２０に障害が発生することを防ぐことができる。
【００２９】
他方、充放電制御部１４４は、二次電池１２０の温度が第２の温度閾値以上であると判定した場合（ステップＳ２０４：ＮＯ）、二次電池の暖機運転を実行する（ステップＳ２０５）。
【００３０】
図３は、少なくとも１つの実施形態に係る二次電池システム１００の暖機運転の動作を示すフローチャートである。
ここで、暖機運転の具体的な実行方法について説明する。
まず充電率推定部１４３は、二次電池１２０の充電率を推定する（ステップＳ３０１）。ここで、充電率推定部１４３は、例えば二次電池１２０の電圧から推定される開放電圧に基づいて二次電池１２０の充電率を推定しても良いし、二次電池１２０が充放電する電流の電流値の積算値に基づいて二次電池１２０の充電率を推定しても良い。
【００３１】
次に、充放電制御部１４４は、コンバータ１３０に放電指示を出力し、準備用放電レート（例えば、１Ｃ）での放電を二次電池１２０に行わせる（ステップＳ３０２）。準備用放電レートは予め定められた通常運転用放電レートより低いレートを選択する。この理由は二次電池１２０の温度が第３の閾値より低い状態にて、二次電池１２０の劣化の進行を抑制するためである。なお、二次電池１２０の充電より先に放電を行う理由は、低温環境において二次電池１２０の充電を行うとリチウム金属が負極に析出する可能性があることから、放電のほうが充電より二次電池１２０の劣化に対する影響が小さいためである。なお、二次電池システム１００が長時間使用されない場合、二次電池１２０の劣化を防ぐために、二次電池システム１００の停止前に二次電池１２０の充電率を３０パーセント程度に調整することが一般的である。したがって、二次電池システム１００がメンテナンス等のために正常に停止されている場合、ステップＳ３０２の放電により二次電池１２０の充電率が許容充電率の下限未満となることはない。
【００３２】
次に、充電率推定部１４３は、二次電池１２０の充電率を再度推定する（ステップＳ３０３）。そして、充放電制御部１４４は、現在の二次電池１２０の充電率が放電開始前の二次電池１２０の充電率より放電目標の第１の所定値以上低下したか否かを判定する（ステップＳ３０４）。本実施形態では、放電目標の第１の所定値として、１０パーセントを採用する。つまり、充放電制御部１４４は、ステップＳ３０１で推定された充電率がステップＳ３０３で推定された充電率より１０パーセント以上低下したか否かを判定する。充放電制御部１４４は、現在の二次電池１２０の充電率が放電開始前の二次電池１２０の充電率より１０パーセント以上低下していないと判定した場合（ステップＳ３０４：ＮＯ）、ステップＳ３０２に戻り、二次電池１２０の放電を継続する。つまり、充放電制御部１４４は、二次電池１２０に、放電目標の第１の所定値に相当する電気量（第２電気量）の放電を行わせる。
【００３３】
他方、充放電制御部１４４は、現在の二次電池１２０の充電率が放電開始前の二次電池１２０の充電率より１０パーセント以上低下したと判定した場合（ステップＳ３０４：ＹＥＳ）、コンバータ１３０に充電指示を出力し、準備用充電レート（例えば、０．５Ｃ）での充電を二次電池１２０に行わせる（ステップＳ３０５）。準備用充電レートは予め定められた通常運転用充電レートより低いレートを選定する。この理由は、低温環境において二次電池１２０の劣化の進行を抑制するためであり、二次電池１２０の充電を行うとリチウム金属が負極に析出する可能性があることから、準備用放電レートより低いレートとすることが好ましい。次に、充電率推定部１４３は、二次電池１２０の充電率を再度推定する（ステップＳ３０６）。そして、充放電制御部１４４は、現在の二次電池１２０の充電率が充電開始前の二次電池１２０の充電率より充電目標の第２所定値以上高くなったか否かを判定する（ステップＳ３０７）。本実施形態では、放電目標の第２の所定値として、１０パーセントを採用する。つまり、充放電制御部１４４は、ステップＳ３０３で最後に推定された充電率がステップＳ３０６で推定された充電率より１０パーセント以上高くなったか否かを判定する。充放電制御部１４４は、現在の二次電池１２０の充電率が充電開始前の二次電池１２０の充電率より１０パーセント以上高くなっていないと判定した場合（ステップＳ３０７：ＮＯ）、ステップＳ３０５に戻り、二次電池１２０の充電を継続する。つまり、充放電制御部１４４は、二次電池１２０に、充電目標の第２所定値に相当する電気量（第１電気量）の充電を行わせる。
【００３４】
他方、充放電制御部１４４は、現在の二次電池１２０の充電率が充電開始前の二次電池１２０の充電率より１０パーセント以上高くなったと判定した場合（ステップＳ３０７：ＹＥＳ）、一旦、暖機運転を終了して、二次電池１２０の温度の暖機目標と比較する。（図２の二次電池１２０の温度を取得する（ステップＳ２０６）に戻る。）このように充放電制御部１４４は、通常運転用充電レート及び通常運転用放電レートより低い準備用充電レート及び準備用放電レートで二次電池１２０を充放電することで、二次電池１２０の劣化の進行を防ぎつつ、充放電による二次電池１２０の発熱により、二次電池１２０の温度を上昇させることができる。また、これにより、充放電制御部１４４は、二次電池１２０の充電率をほとんど変えることなく、二次電池１２０の温度を上昇させることができる。
【００３５】
図２に戻り、充放電制御部１４４がステップＳ２０５で暖機運転を実行すると、温度取得部１４２は、二次電池１２０の温度を取得する（ステップＳ２０６）。次に、充放電制御部１４４は、温度取得部１４２が取得した温度が第３の温度閾値（例えば、摂氏１５度）以上になっているか否かを判定する（ステップＳ２０７）。
【００３６】
充放電制御部１４４は、温度取得部１４２が取得した温度が第３の温度閾値未満であると判定した場合（ステップＳ２０７：ＮＯ）、ステップＳ２０５に戻り、再度暖機運転を実行する。つまり、充放電制御部１４４は、二次電池１２０の温度が第３の温度閾値以上になるまで、暖機運転を繰り返し実行する。他方、充放電制御部１４４は、温度取得部１４２が取得した温度が第３の温度閾値以上になっていると判定した場合（ステップＳ２０７：ＹＥＳ）、二次電池１２０の起動動作を終了する。
【００３７】
以降、指示受付部１４１は、外部より二次電池１２０に対する充放電の指示の入力を受け付け、充放電制御部１４４は、当該指示に従って、通常運転用充電レートでの充電または通常運転用放電レートでの放電を、二次電池１２０に行わせる。
【００３８】
このように、本実施形態によれば、二次電池制御装置１４０は、通常運転用充電レート及び通常運転用放電レートより低い準備用充電レート及び準備用放電レートで二次電池１２０を充放電する。これにより、二次電池１２０の劣化の進行を抑制することができる。また、本実施形態によれば、二次電池制御装置１４０は、二次電池１２０の充電率を変えることなく二次電池１２０の温度を向上させることで、運用開始前の二次電池１２０の容量によらずに、二次電池１２０の運用開始時に温度を適切な温度にすることができる。
【００３９】
《第２の実施形態》
二次電池１２０は、メンテナンス等で充放電を行わない場合、一般的に、３０パーセント程度の充電率で保管しておくことで、劣化を防ぐことができる。また、二次電池１２０が突発的に停止した場合など、電力系統１９０に併入したときの二次電池１２０は、必ずしも適切な充電率になっているとは限らない。
他方、二次電池１２０を自然エネルギー発電の平滑化に用いる場合、二次電池１２０の充電率を５０パーセント程度の充電率を保つことで、発電電力の急激な変動による大電流の充電及び放電に対応することができる。そこで、第２の実施形態に係る二次電池システム４００は、二次電池１２０の温度を充放電に適切な温度にさせ、かつ二次電池１２０の充電率を所定の目標値に近づけるよう、二次電池１２０の充放電を制御する。
【００４０】
図４は、少なくとも１つの実施形態に係る二次電池システム４００の構成を示す概略ブロック図である。なお、図４において、実線は電力線を示し、破線はデータ線を示す。
第２の実施形態に係る二次電池制御装置４４０は、第１の実施形態の構成に加えて電気量決定部４４５をさらに備える。また、第２の実施形態に係る二次電池制御装置４４０は、第１の実施形態と充放電制御部４４４による暖機運転の動作が異なる。なお、第２の実施形態の構成のうち、第１の実施形態と同じ構成であるものについては、第１の実施形態と同じ符号を用いて説明する。
【００４１】
電気量決定部４４５は、充電率推定部１４３が推定した二次電池１２０の充電率に基づいて、暖機運転において二次電池１２０に充放電する電気量を決定する。
充放電制御部４４４は、電気量決定部４４５が決定した電気量に基づいて、二次電池１２０の暖機運転を行う。
【００４２】
図５は、少なくとも１つの実施形態に係る二次電池システム４００の暖機運転の動作を示すフローチャートである。なお、第２の実施形態に係る手順のうち、第１の実施形態と同じものについては、第１の実施形態と同じ符号を用いて説明する。すなわち、第１の実施形態のフローチャートである図２における暖機運転Ｓ２０５のステップが、図５に示す各ステップで行われる。
ここで、第２の実施形態に係る暖機運転の具体的な実行方法について説明する。
まず充電率推定部１４３は、二次電池１２０の充電率を推定する（ステップＳ３０１）。次に、電気量決定部４４５は、充電率推定部１４３が推定した充電率が予め定められた充電率の目標値（例えば、５５パーセント）に対して低いか、高いか、等しいかを判定する（ステップＳ５０１）。
【００４３】
電気量決定部４４５は、充電率推定部１４３が推定した充電率が目標値より低いと判定した場合（ステップＳ５０１：低い）、暖機運転における充電電気量（第１電気量）を、充電率として充電目標の第３の所定値の電気量に決定し、暖機運転における放電電気量（第２電気量）を、充電率として充電目標の第３の所定値より小さい値となる放電目標の第４の所定値分の電気量に決定する（ステップＳ５０２）。本実施形態では、充電目標の第３の所定値として、２０パーセントを採用する。また、放電目標の第４の所定値として、１０パーセントを採用する。つまり、充電率が予め定められた目標値より低いことに対して充電率を所定の目標値に近づけるための処方として、電気量決定部４４５は、暖機運転における放電電気量より暖機運転における充電電気量を多い値に決定する。
【００４４】
また、電気量決定部４４５は、充電率推定部１４３が推定した充電率が目標値より高いと判定した場合（ステップＳ５０１：高い）、暖機運転における充電電気量を、充電率として充電目標の第５の所定値分の電気量に決定し、暖機運転における放電電気量を、充電率として充電目標の第５の所定値より大きな値となる放電目標の第６の所定値分の電気量に決定する（ステップＳ５０３）。本実施形態では、充電目標の第５の所定値として、１０パーセントを採用する。また、放電目標の第６の所定値として、２０パーセントを採用する。つまり、充電率が予め定められた目標値より高いことに対して充電率を所定の目標値に近づけるための処方として、電気量決定部４４５は、暖機運転における放電電気量より暖機運転における充電電気量を少ない値に決定する。
【００４５】
また、電気量決定部４４５は、充電率推定部１４３が推定した充電率が目標値に等しいと判定した場合（ステップＳ５０１：等しい）、暖機運転における充電電気量及び放電電気量を、充電率１０パーセント分の電気量に決定する（ステップＳ５０４）。
【００４６】
ステップＳ５０２〜Ｓ５０４の何れかにより、電気量決定部４４５が充電電気量及び放電電気量を決定すると、充放電制御部４４４は、コンバータ１３０に放電指示を出力し、準備用放電レートでの放電を二次電池１２０に行わせる（ステップＳ３０２）。次に、充電率推定部１４３は、二次電池１２０の放電電気量が電気量決定部４４５によって決定された放電電気量に達したか否かを判定する（ステップＳ５０５）。
【００４７】
二次電池１２０の放電電気量が電気量決定部４４５によって決定された放電電気量に達したか否かは、例えば、充放電制御部４４４が電気量決定部４４５によって決定された放電電気量と放電レートとに基づいて放電時間を算出し、当該放電時間が経過したか否かによって判定することができる。また例えば、充放電制御部４４４が、二次電池１２０の放電電流の積算値を算出し、当該積算値と電気量決定部４４５によって決定された放電電気量とを比較することによっても判定することができる。また例えば、充放電制御部４４４が、電気量決定部４４５によって決定された放電電気量に基づいて放電完了後の充電率を算出し、二次電池１２０の充電率と当該算出した充電率とを比較することによっても判定することができる。
【００４８】
充電率推定部１４３が、二次電池１２０の放電電気量が電気量決定部４４５によって決定された放電電気量に達していないと判定した場合（ステップＳ５０５：ＮＯ）、ステップＳ３０２に戻り、二次電池１２０の放電を継続する。他方、充電率推定部１４３は、二次電池１２０の放電電気量が電気量決定部４４５によって決定された放電電気量に達したと判定した場合（ステップＳ５０５：ＹＥＳ）、コンバータ１３０に充電指示を出力し、準備用充電レートでの充電を二次電池１２０に行わせる（ステップＳ３０５）。次に、充電率推定部１４３は、二次電池１２０の充電電気量が電気量決定部４４５によって決定された充電電気量に達したか否かを判定する（ステップＳ５０６）。充電率推定部１４３は、二次電池１２０の充電電気量が電気量決定部４４５によって決定された充電電気量に達していないと判定した場合（ステップＳ５０６：ＮＯ）、ステップＳ３０５に戻り、二次電池１２０の充電を継続する。
【００４９】
他方、充電率推定部１４３は、二次電池１２０の充電電気量が電気量決定部４４５によって決定された充電電気量に達したと判定した場合（ステップＳ５０６：ＹＥＳ）、暖機運転を終了する。
図２に戻り、充放電制御部４４４は、ステップＳ２０５で暖機運転の実行により、温度取得部１４２により取得した二次電池１２０の温度が（ステップＳ２０６）、第３の温度閾値以上になるまで、暖機運転を繰り返し実行する。
【００５０】
図６は、二次電池１２０の充電率の推移の一例を示すグラフである。図６（Ａ）は、二次電池１２０の充放電に係るレート及び電気量の一例を示す図である。また、図６（Ｂ）は、二次電池１２０の充電率の推移の一例を示す図である。
【００５１】
本実施形態によれば、充放電制御部４４４は、二次電池１２０の充電率が目標値より少ない場合、図６（Ａ）に示すように、充電率１０パーセント分の電気量の放電と、充電率２０パーセント分の電気量の充電とを、二次電池１２０に行わせる。これにより、二次電池システム４００は、１回の暖機運転により二次電池１２０の充電率を、充電電気量（充電率２０パーセント分）と放電電気量（充電率１０パーセント分）の差として、１０パーセント向上させることで、図６（Ｂ）に示すように、二次電池１２０の充電率を目標値に近づけることができる。図６では２回の暖機運転が行われ、充電率が目標の５０パーセントになっている。ここで、二次電池１２０の温度が第３の温度閾値以上になるまで、暖機運転を繰り返し実行するにあたり、更に充電率が目標値に精度よく近づくには、暖機運転における充電電気量である充電率２０パーセント分と放電電気量である充電率１０パーセント分をも直すことが好ましい。すなわち、暖機運転により、二次電池１２０の温度が第１の温度閾値より高くなり、第３の温度閾値との差が少なくなっていれば、より小さな電気容量幅（たとえば充電電気量と放電電気量の差を充電率５パーセント分とする。）に再設定することで目標値に近づき易くなる。
【００５２】
同様に、本実施形態によれば、充放電制御部４４４は、二次電池１２０の充電率が目標値より多い場合、充電率２０パーセント分の電気量の放電と、充電率１０パーセント分の電気量の充電とを、二次電池１２０に行わせる。これにより、二次電池システム４００は、１回の暖機運転により二次電池１２０の充電率を１０パーセント低下させることで、二次電池１２０の充電率を目標値に近づけることができる。
【００５３】
《第３の実施形態》
図７は、少なくとも１つの実施形態に係る二次電池システム７００の構成を示す概略ブロック図である。なお、図７において、実線は電力線を示し、破線はデータ線を示す。
第３の実施形態に係る二次電池システム７００は、二次電池１２０の温度に応じて細やかに準備用充電レート及び準備用放電レートを変更して、二次電池１２０の充放電を制御する。第３の実施形態に係る二次電池制御装置７４０は、第２の実施形態の構成に加えてレート決定部７４６をさらに備える。また、第３の実施形態に係る二次電池制御装置７４０は、第２の実施形態と充放電制御部７４４による暖機運転の動作が異なる。なお、第３の実施形態の構成のうち、第２の実施形態と同じ構成であるものについては、第２の実施形態と同じ符号を用いて説明する。
【００５４】
レート決定部７４６は、温度取得部１４２が推定した二次電池１２０の温度に基づいて、準備用充電レート及び準備用放電レートを決定する。
充放電制御部７４４は、レート決定部７４６が決定した準備用充電レート及び準備用放電レートに基づいて、二次電池１２０の暖機運転を行う。
【００５５】
図８は、少なくとも１つの実施形態に係る二次電池システム７００の暖機運転の動作を示すフローチャートである。なお、第３の実施形態に係る手順のうち、第２の実施形態と同じものについては、第２の実施形態と同じ符号を用いて説明する。
ここで、第３の実施形態に係る暖機運転の具体的な実行方法について説明する。
まず充電率推定部１４３は、二次電池１２０の充電率を推定する（ステップＳ３０１）。次に、電気量決定部４４５は、充電率推定部１４３が推定した充電率が目標値に対して低いか、高いか、等しいかを判定する（ステップＳ５０１）。
【００５６】
電気量決定部４４５は、充電率推定部１４３が推定した充電率が目標値より低いと判定した場合（ステップＳ５０１：低い）、暖機運転における充電電気量を、充電率として充電目標の第３の所定値分の電気量に決定し、暖機運転における放電電気量を、充電率として充電目標の第３の所定値より小さい値となる放電目標の第４の所定値分の電気量に決定する（ステップＳ５０２）。本実施形態では、充電目標の第３の所定値として２０パーセントを、放電目標の第４の所定値として１０パーセントを採用する。
【００５７】
また、電気量決定部４４５は、充電率推定部１４３が推定した充電率が目標値より高いと判定した場合（ステップＳ５０１：高い）、暖機運転における充電電気量を、充電率として充電目標の第５の所定値分の電気量に決定し、暖機運転における放電電気量を、充電率として充電目標の第５の所定値より高い値となる放電目標の第６の所定値分の電気量に決定する（ステップＳ５０３）。本実施形態では、充電目標の第５の所定値として１０パーセントを、放電目標の第６の所定値として２０パーセントを採用する。
【００５８】
また、電気量決定部４４５は、充電率推定部１４３が推定した充電率が目標値に等しいと判定した場合（ステップＳ５０１：等しい）、暖機運転における充電電気量及び放電電気量を、充電率１０パーセント分の電気量に決定する（ステップＳ５０４）。
【００５９】
ステップＳ５０２〜Ｓ５０４の何れかにより、電気量決定部４４５が充電電気量及び放電電気量を決定すると、温度取得部１４２は、二次電池１２０の温度を取得する（ステップＳ７０１）。次に、レート決定部７４６は、温度取得部１４２が取得した温度に基づいて、二次電池１２０の準備用充電レート及び準備用放電レートを決定する（ステップＳ７０２）。
【００６０】
本実施形態では、レート決定部７４６は、二次電池１２０の温度が摂氏−２０度以上かつ摂氏−１０度未満である場合、準備用充電レートを０．２Ｃとし、準備用放電レートを１Ｃとする。また、本実施形態では、レート決定部７４６は、二次電池１２０の温度が摂氏−１０度以上かつ摂氏０度未満である場合、準備用充電レートを０．５Ｃとし、準備用放電レートを１Ｃとする。また、本実施形態では、レート決定部７４６は、二次電池１２０の温度が摂氏０度以上かつ摂氏１５度未満である場合、準備用充電レートを１Ｃとし、準備用放電レートを１Ｃとする。なお、レート決定部７４６が決定する準備用充電レート及び準備用放電レートは、対応する温度の二次電池１２０の充放電に適した充電レート及び放電レートである。
【００６１】
次に、充放電制御部７４４は、コンバータ１３０に放電指示を出力し、レート決定部７４６が決定した放電レートでの放電を二次電池１２０に行わせる（ステップＳ７０３）。次に、充電率推定部１４３は、二次電池１２０の放電電気量が電気量決定部４４５によって決定された放電電気量に達したか否かを判定する（ステップＳ５０５）。
【００６２】
充電率推定部１４３が、二次電池１２０の放電電気量が電気量決定部４４５によって決定された放電電気量に達していないと判定した場合（ステップＳ５０５：ＮＯ）、ステップＳ７０３に戻り、二次電池１２０の放電を継続する。他方、充電率推定部１４３は、二次電池１２０の放電電気量が電気量決定部４４５によって決定された放電電気量に達したと判定した場合（ステップＳ５０５：ＹＥＳ）、コンバータ１３０に充電指示を出力し、レート決定部７４６が決定した充電レートでの充電を二次電池１２０に行わせる（ステップＳ７０４）。
【００６３】
次に、充電率推定部１４３は、二次電池１２０の充電電気量が電気量決定部４４５によって決定された充電電気量に達したか否かを判定する（ステップＳ５０６）。充電率推定部１４３は、二次電池１２０の充電電気量が電気量決定部４４５によって決定された充電電気量に達していないと判定した場合（ステップＳ５０６：ＮＯ）、ステップＳ７０４に戻り、二次電池１２０の充電を継続する。
他方、充放電制御部７４４は、二次電池１２０の充電電気量が電気量決定部４４５によって決定された充電電気量に達したと判定した場合（ステップＳ５０６：ＹＥＳ）、暖機運転を終了する。
【００６４】
図９は、二次電池１２０の温度の変化の推移の一例を示す図である。
ここで、二次電池制御装置７４０による二次電池１２０の充放電制御を、具体的な例を用いて説明する。
まず、図９に示すように、二次電池１２０の温度が摂氏−２５度の状態で電力系統１９０に併入すると、二次電池制御装置７４０は、二次電池１２０の制御を開始する。このとき、図９に示す時刻ｔ１までは、二次電池１２０の温度が摂氏−２０度未満であるため、二次電池制御装置７４０は、二次電池１２０の充放電を行わない。
【００６５】
空調設備の動作により、二次電池１２０の雰囲気温度が上昇し、時刻ｔ１に二次電池１２０の温度が摂氏−２０度になると、二次電池制御装置７４０は、１Ｃの放電と０．２Ｃの充電による暖機運転を繰り返し実行する。これにより、二次電池１２０の温度の上昇速度は時刻ｔ１までと比較して高くなる。続いて、時刻ｔ２に二次電池１２０の温度が摂氏−１０度になると、二次電池制御装置７４０は、１Ｃの放電と０．５Ｃの充電による暖機運転を繰り返し実行する。これにより、二次電池１２０の温度の上昇速度は時刻ｔ２までと比較してさらに高くなる。続いて、時刻ｔ３に二次電池１２０の温度が摂氏０度になると、二次電池制御装置７４０は、１Ｃの放電と１Ｃの充電による暖機運転を繰り返し実行する。これにより、二次電池１２０の温度の上昇速度は時刻ｔ３までと比較してさらに高くなる。
その後、時刻ｔ４に二次電池１２０の温度が摂氏１５度になると、二次電池制御装置７４０は、暖機運転を終了する。
【００６６】
このように、本実施形態によれば、充放電制御部７４４は、二次電池１２０の温度に応じた適切な充電レート及び放電レートで、二次電池１２０の暖機運転を行うため、二次電池１２０の低温領域で生じやすい劣化を防ぎつつ、二次電池１２０による発熱を促進することができる。また、これにより、第２の実施形態と同じように、電池システム７００は、１回の暖機運転により二次電池１２０の充電率を、暖機運転における充電電気量と放電電気量との差の分を向上させることで、二次電池１２０の充電率を目標値に近づけることができる。
【００６７】
《第４の実施形態》
図１０は、少なくとも１つの実施形態に係る二次電池システム１０００の構成を示す概略ブロック図である。なお、図１０において、実線は電力線を示し、破線はデータ線を示す。
第４の実施形態に係る二次電池システム１０００は、空調設備に障害が発生している場合においても、二次電池１２０の運転開始前に、二次電池１２０の温度を適切な温度にするものである。
【００６８】
第４の実施形態に係る二次電池制御装置１０４０は、第３の実施形態の構成に加えて空調判定部１０４７をさらに備える。また、第４の実施形態に係る二次電池制御装置１０４０は、第３の実施形態と充放電制御部１０４４の動作が異なる。なお、第４の実施形態の構成のうち、第３の実施形態と同じ構成であるものについては、第３の実施形態と同じ符号を用いて説明する。
【００６９】
空調判定部１０４７は、空調設備から信号を受信し、空調設備に障害が発生しているか否かを判定する。例えば、空調設備が障害発生時に故障信号を二次電池制御装置１０４０に出力する場合、空調判定部１０４７は、当該故障信号を受信することで、空調設備に障害が発生していると判定することができる。また、例えば、空調設備が制御信号を常時二次電池制御装置１０４０に出力する場合、空調判定部１０４７は、当該制御信号が受信できなくなったときに、空調設備に障害が発生していると判定することができる。
【００７０】
充放電制御部１０４４は、空調判定部１０４７の判定結果に基づいて二次電池１２０の充放電を制御する。具体的には、空調判定部１０４７が空調設備に障害が発生していないと判定した場合、充放電制御部１０４４は、第１の実施形態と同様に図２に示す起動動作を実行する。他方、空調判定部１０４７が空調設備に障害が発生していると判定した場合、充放電制御部１０４４は、以下に示す起動動作を実行する。
【００７１】
図１１は、少なくとも１つの実施形態に係る二次電池システム１０００の起動動作を示すフローチャートである。なお、第４の実施形態に係る手順のうち、第１の実施形態と同じものについては、第１の実施形態と同じ符号を用いて説明する。
空調判定部１０４７が空調設備に障害が発生していると判定した場合に、管理者が二次電池制御装置１０４０に運転開始の指示を入力すると、二次電池制御装置１０４０の指示受付部１４１は、当該指示の入力を受け付ける（ステップＳ２０１）。
【００７２】
指示受付部１４１が運転開始の指示の入力を受け付けると、温度取得部１４２は、温度センサ１５０から二次電池１２０の温度を取得する（ステップＳ２０２）。次に、充放電制御部１０４４は、温度取得部１４２が取得した二次電池１２０の温度が、第１の温度閾値未満であるか否かを判定する（ステップＳ２０３）。
【００７３】
充放電制御部１０４４は、二次電池１２０の温度が第１の温度閾値以上であると判定した場合（ステップＳ２０３：ＮＯ）、起動動作を終了する。他方、充放電制御部１０４４は、二次電池１２０の温度が第１の温度閾値未満であると判定した場合（ステップＳ２０３：ＹＥＳ）、当該温度が第２の温度閾値未満であるか否かを判定する（ステップＳ２０４）。充放電制御部１０４４は、二次電池１２０の温度が第２の温度閾値未満であると判定した場合（ステップＳ２０４：ＹＥＳ）、ステップＳ２０２に戻り、二次電池１２０の温度が第２の温度閾値以上になるまで待機する。
【００７４】
他方、充放電制御部１０４４は、二次電池１２０の温度が第２の温度閾値以上であると判定した場合（ステップＳ２０４：ＮＯ）、暖機運転を実行する（ステップＳ２０５）。次に、温度取得部１４２は、二次電池１２０の温度を取得する（ステップＳ２０６）。次に、充放電制御部１０４４は、温度取得部１４２が取得した温度が第４の温度閾値以上になっているか否かを判定する（ステップＳ１１０１）。第４の温度閾値とは、二次電池１２０の充放電に十分に適した温度である。本実施形態では、第４の温度閾値として摂氏２０度を採用する。
【００７５】
充放電制御部１０４４は、温度取得部１４２が取得した温度が第４の温度閾値以上になっていないと判定した場合（ステップＳ１１０１：ＮＯ）、ステップＳ２０５に戻り、再度暖機運転を実行する。つまり、充放電制御部１０４４は、二次電池１２０の温度が第４の温度閾値以上になるまで、暖機運転を繰り返し実行する。他方、充放電制御部１０４４は、温度取得部１４２が取得した温度が第４の温度閾値以上になっていると判定した場合（ステップＳ１１０１：ＹＥＳ）、指示受付部１４１が外部から充放電の指示を受け付けたか否かを判定する（ステップＳ１１０２）。
【００７６】
充放電制御部１０４４が、指示受付部１４１が外部から充放電の指示を受け付けていないと判定した場合（ステップＳ１１０２：ＮＯ）、温度取得部１４２は、二次電池１２０の温度を取得する（ステップＳ１１０３）。次に、充放電制御部１０４４は、温度取得部１４２が取得した温度が第３の温度閾値以上であるか否かを判定する（ステップＳ１１０４）。
【００７７】
充放電制御部１０４４は、温度取得部１４２が取得した温度が第３の温度閾値以上であると判定した場合（ステップＳ１１０４：ＹＥＳ）、ステップＳ１１０２に戻り、充放電の指示の受け付けの有無を判定する。
他方、充放電制御部１０４４は、温度取得部１４２が取得した温度が第３の温度閾値未満になったと判定した場合（ステップＳ１１０４：ＮＯ）、ステップＳ２０５に戻り、二次電池１２０の温度が摂氏２０度以上になるまで暖機運転を繰り返す。
【００７８】
そして、ステップＳ１１０２において、充放電制御部１０４４が、指示受付部１４１が外部から充放電の指示を受け付けたと判定すると（ステップＳ１１０２：ＹＥＳ）、二次電池１２０の起動動作を終了する。
以降、充放電制御部１０４４は、ステップＳ１１０２で受け付けた指示に従って、通常運転時の充電レートでの充電または通常運転時の放電レートでの放電を、二次電池１２０に行わせる。
【００７９】
このように、本実施形態によれば、二次電池制御装置１０４０は、空調機器に障害が発生している場合、暖機運転により二次電池１２０の温度を、二次電池１２０の充放電に適した温度の最小値である第３の温度閾値より高い温度にし、二次電池１２０の温度が第３の温度閾値未満になったときに、再度暖機運転を行う。これにより、二次電池制御装置１０４０は、空調機器に障害が発生している場合にも、二次電池１２０の温度を二次電池１２０の充放電に適した温度に保つことができる。
【００８０】
以上、図面を参照して一実施形態について詳しく説明してきたが、具体的な構成は上述のものに限られることはなく、様々な設計変更等をすることが可能である。
例えば、上述した実施形態では、暖機運転において放電を行ってから充電を行う場合について説明したが、これに限られない。例えば、二次電池１２０の充電率が１０パーセント以下の場合など、充電率１０パーセント分の電気量を二次電池１２０から放電することにより二次電池１２０が劣化する可能性がある場合は、充電を行ってから放電を行ってもよい。
【００８１】
また、上述した実施形態では、準備用充電レート及び準備用放電レートの両方が、通常運転用充電レート及び通常運転用放電レートより低い場合について説明したが、これに限られない。例えば、他の実施形態においては、準備用充電レートが通常運転用充電レートより低く、準備用放電レートが通常運転用放電レートと同じであっても良い。また例えば、他の実施形態においては、準備用放電レートが通常運転用放電レートより低く、準備用充電レートが通常運転用充電レートと同じであっても良い。
【００８２】
図１２は、少なくとも１つの実施形態に係るコンピュータ１２００の構成を示す概略ブロック図である。
コンピュータ１２００は、ＣＰＵ１２１０、主記憶装置１２２０、補助記憶装置１２３０、インタフェース１２４０を備える。
上述の少なくとも１つの実施形態に係る二次電池制御装置（例えば、二次電池制御装置１４０、４４０、７４０、１０４０）は、コンピュータ１２００に実装される。そして、上述した各処理部の動作は、プログラムの形式で補助記憶装置１２３０に記憶されている。ＣＰＵ１２１０は、プログラムを補助記憶装置１２３０から読み出して主記憶装置１２２０に展開し、当該プログラムに従って上記処理を実行する。
【００８３】
なお、少なくとも１つの実施形態において、補助記憶装置１２３０は、一時的でない有形の媒体の一例である。一時的でない有形の媒体の他の例としては、インタフェース１２４０を介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータ１２００に配信される場合、配信を受けたコンピュータ１２００が当該プログラムを主記憶装置１２２０に展開し、上記処理を実行しても良い。
【００８４】
また、当該プログラムは、前述した機能の一部を実現するためのものであっても良い。さらに、当該プログラムは、前述した機能を補助記憶装置１２３０に既に記憶されている他のプログラムとの組み合わせで実現するもの、いわゆる差分ファイル（差分プログラム）であっても良い。
【００８５】
なお、本明細書中における「第１」、「第２」などの序数は、構成要素同士を区別するために用いられており、順序または重要性を示唆するものではない。
【符号の説明】
【００８６】
１００…二次電池システム  １１０…空調設備  １２０…二次電池  １３０…コンバータ  １４０…二次電池制御装置  １４１…指示受付部  １４２…温度取得部  １４３…充電率推定部  １４４…充放電制御部  １９０…電力系統  ４００…二次電池システム  ４４０…二次電池制御装置  ４４４…充放電制御部  ４４５…電気量決定部  ７００…二次電池システム  ７４０…二次電池制御装置  ７４４…充放電制御部  ７４６…レート決定部  １０００…二次電池システム  １０４０…二次電池制御装置  １０４４…充放電制御部  １０４７…空調判定部  １２００…コンピュータ  １２１０…ＣＰＵ  １２２０…主記憶装置  １２３０…補助記憶装置  １２４０…インタフェース
【図１】
2015035382.tif 000003
【図２】
2015035382.tif 000004
【図３】
2015035382.tif 000005
【図４】
2015035382.tif 000006
【図５】
2015035382.tif 000007
【図６】
2015035382.tif 000008
【図７】
2015035382.tif 000009
【図８】
2015035382.tif 000010
【図９】
2015035382.tif 000011
【図１０】
2015035382.tif 000012
【図１１】
2015035382.tif 000013
【図１２】
2015035382.tif 000014